(57)【要約】  【課題】  記録情報の編集を行った記録媒体が記録再生装置から取り出された後でも、プログラム消去に代表されるこの記録媒体に行われた編集内容の復元をすることができる記録再生装置を提供する。  【解決手段】  主情報がプログラム単位で記録されるプログラムエリア２３と、プログラムエリア２３に記録された各プログラムのそれぞれに対応するU-TOC情報が記録されるU-TOCエリア２２とを有するミニディスク（ＭＤ）１０を記録再生するとともに、U-TOC情報の変更によってプログラムの編集を行うことが可能なＭＤレコーダにおいて、前記編集を行ったときの変更前のU-TOC情報と変更後のU-TOC情報との差分であるU-TOC差分情報をＭＤ１０に記録する編集情報記録手段（ＭＤ制御回路６）と、ＭＤ１０に記録されたU-TOC差分情報に基づいてU-TOCエリア２２に記録されたU-TOC情報を前記変更前のU-TOC情報に復元する編集情報復元手段（ＭＤ制御回路６）とを備える。【選択図】      図１
2005092955.tif 000002
【特許請求の範囲】
【請求項１】
主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、
前記編集を行ったときの変更前の識別情報と変更後の識別情報との差分である差分情報を前記記録媒体に記録する編集情報記録手段と、
前記記録媒体に記録された前記差分情報に基づいて該記録媒体に記録された識別情報を前記変更前の識別情報に復元する編集情報復元手段と、
を設けたことを特徴とする記録再生装置。
【請求項２】
主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、
前記編集を行ったときの変更前の識別情報と変更後の識別情報との差分である差分情報及び前記変更後の識別情報をメモリに記録する編集情報記録手段と、
記録媒体に記録されている識別情報と前記メモリに記録された前記変更後の識別情報とが一致した場合に、前記メモリに記録された差分情報に基づいて前記記録媒体に記録されている識別情報を前記変更前の識別情報に復元する編集情報復元手段と、
を設けたことを特徴とする記録再生装置。
【請求項３】
前記メモリは外部に設けられた外部記憶装置であり、該外部記憶装置と交信する交信手段を有することを特徴とする請求項２に記載の記録再生装置。
【請求項４】
前記編集情報復元手段が復元することのできる識別情報に対応するプログラムの一覧を、表示装置に表示するようにしたことを特徴とする請求項１または請求項２に記載の記録再生装置。
【請求項５】
前記表示装置は外部に設けられた外部表示装置であり、該外部表示装置と交信する交信手段を有することを特徴とする請求項４に記載の記録再生装置。
【請求項６】
前記編集情報復元手段が復元することのできる識別情報に対応するプログラムを、前記識別情報を復元せずに再生するようにしたことを特徴とする請求項１または請求項２に記載の記録再生装置。
【請求項７】
前記記録媒体に新たな主情報を記録するときに、前記主情報領域中の空き領域から記録し、空き領域がない場合には、識別情報の変更により消去されたプログラムが記録されている領域のうち先に消去されたプログラムが記録されている領域から順に記録するようにしたことを特徴とする請求項１または請求項２に記載の記録再生装置。
【請求項８】
請求項１〜請求項７のいずれかに記載の記録再生装置に情報信号を転送し、前記記録再生装置が記録再生する記録媒体に前記情報信号を記録する情報信号記録方法において、
前記情報信号を転送する前に、前記記録再生装置の編集情報記録手段により記録された差分情報と前記記録媒体に記録されているプログラムとを参照し、識別情報の変更により消去されたプログラムと前記情報信号とが一致する場合は、前記情報信号の転送を実行せず、前記消去されたプログラムに対応する識別情報を前記記録再生装置の編集情報復元手段により復元させることを特徴とする情報信号記録方法。
【発明の詳細な説明】
【技術分野】
【０００１】
本発明は、記録媒体にディジタル情報信号を記録再生する記録再生装置及び情報信号記録方法に関するものである。
【背景技術】
【０００２】
従来より、オーディオ情報、ビデオ情報等のディジタル情報信号の記録再生装置には、種々のものが存在している。ディジタルオーディオ信号の場合では、代表的なものにミニディスク（以下、ＭＤという）を記録媒体として用いるＭＤレコーダが挙げられる。このような記録再生装置によりディジタル情報が記録再生される記録媒体は、主情報であるディジタル情報信号が記録されるプログラムエリア(主情報領域)と、このプログラムエリアに記録されたディジタル情報信号に対応する識別情報とリンク情報が記録されるテーブルエリア(識別情報領域)とを有しており、ＭＤレコーダの場合、前記プログラムエリアに記録されたディジタルオーディオ信号は、トラックとして管理される。また、このトラックに関する情報が記録された前記テーブルエリアはU-TOC(User Table Of Content)エリアと呼ばれ、トラックやディスクの空きエリア（記録可能エリア）等のアドレス情報がポインタ、スタートアドレス、エンドアドレスで管理される。
【０００３】
そして、プログラムエリアに記録されたディジタルオーディオ信号（トラック）を編集する時には、U-TOCエリアの識別情報及びリンク情報を編集するだけで、プログラムエリアに記録されたディジタルオーディオ信号(トラック)は編集しないようにしている。このような方式をとることで、簡単に、しかも早く編集を行うことができる。
【０００４】
また、ミニディスク装置において、ディスク上の消去したトラックを復活させて再び再生可能とするために、光磁気ディスクのU-TOCエリアに記録された各トラックのアドレス情報をメモリに予め記憶しておき、複数のトラックの消去を行って音楽情報を記録した場合に、重ね書きされなかったトラックのアドレス情報をメモリより読み出して再度、光磁気ディスクのU-TOCエリアに記録するようにしたものがある（例えば、特許文献１参照）。
【０００５】
また、プログラムを単位としてオーディオ情報等を記録する記録装置において、複数個のプログラムを消去する際の操作性を向上させるために、ＭＤレコーダ中のＭＤに記録された各曲に係る識別情報等の情報がメモリ部に記憶され、この識別情報がパソコン内のＧＵＩを介して表示され、表示内容を参照してユーザが消去したい複数の曲をマウス等を介して指定し、指定された曲を曲番号の大きい順に並べ替えることにより選択曲配列が生成され、この選択曲配列に沿って各選択曲に対する消去処理、即ちメモリ部の識別情報等の書き換え処理が順次行われるようにしたものもある（例えば、特許文献２参照）。
【特許文献１】特開平８―２７３３３２号公報
【特許文献２】特開平１１―１１０９５５号公報
【発明の開示】
【発明が解決しようとする課題】
【０００６】
しかしながら、従来の記録再生装置では、記録媒体に記録されたディジタル情報信号の編集、例えば、プログラム消去に代表される編集を元に戻す編集内容の復元処理（UNDO処理）をする場合、前記記録再生装置から記録媒体を取り出した時点で、このようなUNDO処理は不可能になっていた。但し、このとき、取り出した記録媒体には、識別情報の変更で復元可能に消去されたプログラムの主情報が残っており、このプログラムを復元させることができれば、使用者に更なる利便性を提供することができる。特に、記録媒体の大容量化が進むとともに、扱うディジタル情報も映像情報に代表されるように大きなサイズになってきており、ディジタル情報を再転送するには長時間かかる場合もあるため、このような利便性が提供されれば、その効果は大きい。
【０００７】
また、特許文献１に記載の従来技術では、既に音楽情報が記録されているディスクに対して、新たに時間的な長さのわからない音楽情報を記録するにあたって、複数のトラックを消去したとしても、重ね書きが行われなかったトラックのアドレス情報を再び記録し直すことにより、一旦消去し重ね書きが行われなかったトラックを復活させることはできるが、消去されたトラックの復活ができるのは、消去を行ったディスクを取り出す前だけであり、一旦取り出した後に復活させることはできない。
【０００８】
また、特許文献２に記載の従来技術では、複数のプログラムを消去する際の消去処理に係る操作の操作性を向上させることはできるが、消去されたプログラムを復元させるものではない。また、編集内容の復元に関する操作の操作性を向上させるものでもない。
【０００９】
本発明は、上記の点に鑑み、プログラム消去に代表される記録情報の編集が行われた記録媒体が記録再生装置から取り出された後でも、この記録媒体の記録情報の編集内容の復元をすることができる記録再生装置及び情報信号記録方法を提供することを目的とする。
【課題を解決するための手段】
【００１０】
上記目的を達成するために本発明は、主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、前記編集を行ったときの変更前の識別情報と変更後の識別情報との差分である差分情報を前記記録媒体に記録する編集情報記録手段と、前記記録媒体に記録された前記差分情報に基づいて該記録媒体に記録された識別情報を前記変更前の識別情報に復元する編集情報復元手段とを設けたものである。
【００１１】
このようにすると、プログラム消去に代表される記録情報の編集を行った記録媒体が記録再生装置から取り出された後でも、前記記録媒体に記録された差分情報に基づいて、前記記録媒体の記録情報の編集内容の復元をすることができる。
【００１２】
また、例えば、主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、前記編集を行ったときの変更前の識別情報と変更後の識別情報との差分である差分情報及び前記変更後の識別情報をメモリに記録する編集情報記録手段と、記録媒体に記録されている識別情報と前記メモリに記録された前記変更後の識別情報とが一致した場合に、前記メモリに記録された差分情報に基づいて前記記録媒体に記録されている識別情報を前記変更前の識別情報に復元する編集情報復元手段とを設けると良い。
【００１３】
このようにすると、編集に関する情報を記録媒体に記録することなく、即ち、他の記録再生装置との互換性を保ちつつ、プログラム消去に代表される記録情報の編集を行った記録媒体が記録再生装置から取り出された後でも、前記メモリに記録された識別情報に基づいて記録媒体を特定するとともに、差分情報に基づいて前記記録媒体の記録情報の編集内容の復元をすることができる。
【００１４】
また、例えば、前記メモリは外部に設けられた外部記憶装置であり、該外部記憶装置と交信する交信手段を有すると、記録再生装置に内蔵されるメモリの容量を大きくすることなく、多くの記録媒体に関する識別情報と差分情報とを記録することができ、多くの記録媒体の記録情報の編集内容の復元をすることができる。
【００１５】
また、例えば、前記編集情報復元手段が復元することのできる識別情報に対応するプログラムの一覧を、表示装置に表示するようにすると、使用者が復元するプログラムを確認することが容易になる。
【００１６】
また、例えば、前記表示装置は外部に設けられた外部表示装置であり、該外部表示装置と交信する交信手段を有すると、記録再生装置に搭載される表示装置を大型化することなく、多くの復元可能なプログラムを表示することができ、使用者が復元するプログラムを確認することがよりいっそう容易になる。
【００１７】
また、例えば、前記編集情報復元手段が復元することのできる識別情報に対応するプログラムを、前記識別情報を復元せずに再生するようにすると、前記プログラムを復元せずとも使用者が復元するプログラムを確認することができ、これにより、復元する必要のないプログラムを確認だけのために一旦復元するという無駄な処理が行われることが防止できる。
【００１８】
また、例えば、前記記録媒体に新たな主情報を記録するときに、前記主情報領域中の空き領域から記録し、空き領域がない場合には、識別情報の変更により消去されたプログラムが記録されている領域のうち先に消去されたプログラムが記録されている領域から順に記録するようにすると、消去されたプログラムを復元できる可能性を大きくすることができる。
【００１９】
また、例えば、本発明に係る記録再生装置に情報信号を転送し、前記記録再生装置が記録再生する記録媒体に前記情報信号を記録する情報信号記録方法において、前記情報信号を転送する前に、前記記録再生装置の編集情報記録手段により記録された差分情報と前記記録媒体に記録されているプログラムとを参照し、識別情報の変更により消去されたプログラムと前記情報信号とが一致する場合は、前記情報信号の転送を実行せず、前記消去されたプログラムに対応する識別情報を前記記録再生装置の編集情報復元手段により復元させると良い。
【００２０】
このようにすると、記録再生装置へ情報信号を転送するプログラム転送時間を大幅に削減することが可能となる。
【発明の効果】
【００２１】
本発明によると、主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、前記編集を行ったときの変更前の識別情報と変更後の識別情報との差分である差分情報を前記記録媒体に記録する編集情報記録手段と、前記記録媒体に記録された前記差分情報に基づいて該記録媒体に記録された識別情報を前記変更前の識別情報に復元する編集情報復元手段とを設けたので、プログラム消去に代表される記録情報の編集を行った記録媒体が記録再生装置から取り出された後でも、前記記録媒体に記録された差分情報に基づいて、前記記録媒体の記録情報の編集内容の復元をすることができる。
【００２２】
また、本発明によると、主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、前記編集を行ったときの変更前の識別情報と変更後の識別情報との差分である差分情報及び前記変更後の識別情報をメモリに記録する編集情報記録手段と、記録媒体に記録されている識別情報と前記メモリに記録された前記変更後の識別情報とが一致した場合に、前記メモリに記録された差分情報に基づいて前記記録媒体に記録されている識別情報を前記変更前の識別情報に復元する編集情報復元手段とを設けたので、編集に関する情報を記録媒体に記録することなく、即ち、他の記録再生装置との互換性を保ちつつ、プログラム消去に代表される記録情報の編集を行った記録媒体が記録再生装置から取り出された後でも、前記メモリに記録された識別情報に基づいて記録媒体を特定するとともに、差分情報に基づいて前記記録媒体の記録情報の編集内容の復元をすることができる。
【発明を実施するための最良の形態】
【００２３】
本発明の実施形態を図１乃至図６に基づいて以下に説明する。図１は、本発明の実施形態のＭＤレコーダ（記録再生装置）の電気的構成を示すブロック図である。図１において、１０は記録媒体であるミニディスク（ＭＤ）、１は入力されたディジタル音声信号（主情報）を圧縮し、高能率符号化したディジタル信号に変換するATRAC圧縮回路、２はATRAC圧縮回路１からのディジタル信号をインターリーブし、誤り訂正符号を付し、更に、サブコード信号を付加したディジタル信号に変換する、または、ＭＤ１０から読み出したディジタル信号に対して誤り訂正等の処理を行うというようなディジタル信号処理を行う信号処理回路、３は音飛びガードのために信号処理回路２で処理するディジタル信号を一旦蓄えておくショックプルーフメモリ、４はヘッドドライバであり、信号処理回路２からのディジタル信号を記録用磁気ヘッド５によりＭＤ１０に記録するための信号に変換している。この磁気ヘッド５とピックアップ１１とによってディジタル信号がピットデータとしてＭＤ１０に光磁気記録される。
【００２４】
また、ピックアップ１１はＭＤ１０に記録されたピットデータを読み出して電気信号に変換する役目も担っている。そして、１２はピックアップ１１が出力する電気信号のディジタル信号への変換及びサーボ信号の生成を行うＲＦアンプであり、信号処理回路２はＲＦアンプ７が出力する信号に対して誤り訂正等の処理を行う。また、１３は信号処理回路２で処理された信号を伸長し、ディジタル信号に戻すATARC伸張回路、１４はATRAC伸張回路１３で処理されたディジタル信号をアナログ信号に変換するD/Aコンバータ、１５はD/Aコンバータ１４からのアナログ信号の音声調整と増幅を行う音声調整及びアンプ部、１６はアンプ１５からのアナログ信号を音声として再生するスピーカである。
【００２５】
更に、９はピックアップ１１をＭＤ１０の内周・外周間へ往復駆動させる送りモータであり、ＲＦアンプ１２より出力されるトラッキングエラー信号によりサーボ回路７を介して制御される。また、８はＭＤ１０内のディスクを回転させるスピンドルモータであり、６はＭＤレコーダ全体の制御を司るＭＤ制御回路（編集情報記録手段、編集情報復元手段）で、信号処理回路２、サーボ回路７を制御する。そして、１７はメモリであり、その用途については後述する。また、１８はＭＤレコーダの動作状況やＭＤ１０から読み出した情報を表示する液晶モニタである。更に、図１に示すＭＤレコーダは外部インターフェイス（外部ＩＦ、交信手段）１９を備えており、この外部ＩＦ１９を介して外部に設けられたパソコン（ＰＣ）のような大容量記憶装置を有する外部記憶装置２０と接続可能になっている。
【００２６】
次に、このようなＭＤレコーダに使用される記録可能なＭＤのディスク構成を説明する。図２は、記録可能なＭＤのディスク断面を模式的に示す要部断面図である。図２において、１０はＭＤを示し、ＭＤ１０はディスク２５とカートリッジ２６から構成されている。また、ディスク２５は、内周側からリードインエリア２１、U-TOCエリア２２、プログラムエリア２３、リードアウトエリア２４となっている。リードインエリア２１には予めディスク情報が刻まれており、U-TOCエリア２２はプログラムエリア２３に記録されたデータに対する情報（識別情報）を格納するエリアである。このU-TOCエリア２２には、記録されたデータのアドレス、タイトル情報等が記録されている。
【００２７】
次に、このようなＭＤ１０を記録媒体として用いる図１に示すＭＤレコーダの動作を説明する。先ず、図１に示すＭＤレコーダにＭＤ１０が挿入されたとき、ディスク挿入の情報がＭＤ制御回路６に送られ、サーボ回路７、スピンドルモータ８を通して、ＭＤ１０内のディスク２５の回転制御が行われる。また、送りモータ９にてピックアップ１１を動かしながら、ディスク２５のリードインエリア２１へのアクセスが行われる。このとき、ピックアップ１１はディスク２５に刻まれたディスクアドレス信号を読み出し、そのディスクアドレス信号をＲＦアンプ１２にてアドレス情報に変換する。そして、そのアドレス情報をもとに送りモータ９がサーボ回路７により制御され、ピックアップ１１はリードインエリア２１の情報を読み取りに行く。そして、読みとった情報から記録可能なＭＤであると判別できれば、更に、U-TOCエリア２２のU-TOC情報を読み出し、ディスク情報、タイトル情報等を液晶モニタ１８に表示する。また、ここで読み出されたU-TOC情報は、メモリ１７に保存しておく。尚、このメモリ１７に保存されるU-TOC情報は、タイトル情報、アドレス情報等の必要な部分だけでもよい。
【００２８】
次に、録音時の動作について説明する。先ず、既にメモリ１７に保存されたU-TOC情報をもとに、プログラムエリア２３の空き領域(記録可能領域)を算出し、算出された空き領域に対応するディスクアドレスにピックアップ１１を移動させる。一方、記録対象のディジタル音声信号はATRAC圧縮回路１に送られ、音声圧縮される。ＭＤレコーダの場合、ATRAC(Adaptive TRansform Acoustic Coding)という高能率符号化方式が用いられている。そして、ATRAC圧縮回路１で圧縮された圧縮データは信号処理回路２に送られ、一旦、ショックプルーフメモリ３に蓄えられる。ある程度蓄えられると、信号処理回路２にてセクタ構造へのフォーマット変換、EFM変調(Eight to Fourteen Modulation)等の処理が行われる。そして、ヘッドドライバ４にて、記録するための信号に変換され、磁気ヘッド５に送られる。その後、磁気ヘッド５、ピックアップ１１を制御してＭＤ１０のディスク２５に記録される。この記録時において、メモリ１７のU-TOC情報も記録内容に応じて更新される。この時、後述するU-TOC差分情報も更新しておく。そして、音楽データの記録完了後、メモリ１７のU-TOC情報に基づいてU-TOCエリア２２が更新され、一連の記録作業は完了となる。
【００２９】
次に、再生時の動作について説明する。先ず、既にメモリ１７に保存されたU-TOC情報をもとに、プログラムエリア２３の目的となるタイトルのディスクアドレスにアクセスする。そして、その位置からピックアップ１１、ＲＦアンプ１２を通じて音楽データを読み取り、信号処理回路２に送られる。信号処理回路２では、ＥＦＭ変調(Eight to Fourteen Modulation)、セクタ構造へのフォーマット変換等が行われ、ショックプルーフメモリ３に蓄えられる。蓄えられたセクタ構造データはATRAC伸長回路１３に送られてディジタル音声データに伸張され、D/Aコンバータ１４にて、音声アナログ信号に変換された後、音声調整及びアンプ部１５を通してスピーカ１６に送られ再生される。
【００３０】
さて、ここでU-TOCエリア２２の主エリアのフォーマット説明を行う。U-TOCエリア２２には３２セクタで構成されるエリアがあり、セクタ０にはアドレス情報、セクタ１にはタイトル情報(カナ)、セクタ２には記録日時、セクタ４にはタイトル情報(漢字)が記録され、その他のセクタ３及びセクタ５〜セクタ３１は拡張領域(リザーブ)とされている。
【００３１】
先ず、セクタ０について図３を参照して説明する。セクタ０は４バイト×５８８スロットの２３５２バイトであり、順にヘッダ部、所定のアドレス位置を示すクラスタＨ（cluster H）及びクラスタＬ（cluster L）、U-TOCエリアの最終編集をした機器の製造元及び型式を示すメーカーコード（Maker code）及びモデルコード（Model code）、最初及び最後のプログラム番号を示すFirst TNO及びLast TNO、セクタ使用状況（Used Sectors）、ディスクシリアルNo（Disc Serial No）、ディスクID、ディスク上に生じた欠陥の位置についての情報を格納するスロットの先頭位置を示すP-DFA(Pointer for Defective Area)、スロットの使用状況を示すP-EMPTY(Pointer for Empty slot)、記録可能領域を管理するスロットの先頭位置P-FRA(pointer for FReely Area)、各プログラム番号に対応したスロットの先頭位置を各々示すP-TNO1〜P-TNO255、前記P-TNOに対応するStart address、End addressが順番に記録される。また、Start address, End addressとともに、Track mode、Link-Pが記録される。Track modeは対応するプログラムの情報が収められており、Link-Pは離れたアドレスのジャンプ先を示す。このLink-Pにより飛び飛びに記録されたプログラムが管理でき、また、曲分割、複数曲接続等も簡単に行えるようになっている。
【００３２】
次に、セクタ１には図４に示すように、ディスク全体のタイトル及び各プログラムのタイトルのアルファベット若しくはカナ情報が記録される。P-TNA1〜P-TNA255にて各プログラムのDisc name or Track nameを参照し、Link-Pを使うことで長いDisc name or Track nameにも対応できるようになっている。また、セクタ２には図５に示すように、各プログラムの記録日時（Disc rec data and time）が記録され、セクタ４には図６に示すように、ディスク全体のタイトル及び各プログラムのタイトルの漢字情報が記録される。尚、セクタ１と同様に、P-TNA1〜P-TNA255にて各プログラムのDisc name or Track nameを参照し、Link-Pを使うことで長いDisc name or Track nameにも対応できるようになっている。
【００３３】
以上説明したように、U-TOCエリア２２に記録されたU-TOC情報によって各プログラム情報が管理されており、プログラム消去、曲順変更、タイトル変更、曲分割、複数曲接続等の編集処理を行う時は、U-TOCエリア２２のU-TOC情報のみを編集することで、迅速な編集作業が可能となっている。
【００３４】
以下に、編集処理を行うときのU-TOCエリア２２に記録されたU-TOC情報の説明をする。先ず、編集処理を行うときは、既にメモリ１７に保存しているU-TOC情報を変更する。即ち、ＭＤ１０を取り出すまでは、U-TOC情報はこのメモリ１７を参照するだけでよい。尚、このときメモリ１７に保存しているU-TOC情報は必要なものだけでよい。更に、編集前のU-TOC情報をメモリ１７の他の領域に保存しておくと、編集内容の復元、即ち、編集前の状態に戻す事(UNDO処理)もできる。この編集前のU-TOC情報は編集後のU-TOC情報との差分（差分情報）だけでよく、例えば、プログラムの消去の場合であれば、セクタ０のP-EMPTYとP-FRAとP-TNOあたり、セクタ１のP-EMPTYとP-TNAあたり、セクタ２のP-EMPTYとP-TRDあたり、セクタ４のP-EMPTYとP-TNAあたりの差分だけでよい。このようにすることで、消去されたエリアであっても復活させる事ができる。また、消去されたプログラムエリアのうち一部を上書き記録した場合、そのプログラム部分は復活させる事(UNDO処理)は出来なくなる。そこで、その部分はUNDO処理不可能として、編集前のU-TOC差分情報から消去しておくようにする。
【００３５】
そして、ＭＤ１０をＭＤレコーダから取り出すとき、メモリ１７にあるU-TOC情報を用いてU-TOCエリア２２の更新を行う。このとき、メモリ１７の他の領域にあるU-TOC差分情報もU-TOCエリア２２に書き込む（第１実施形態）。このU-TOC差分情報は、U-TOCエリア２２の使われていないセクタを差分情報専用エリアとして定義し、書き込む。このようにすることにより、再びＭＤ１０を挿入した時、U-TOC情報とともに差分情報専用エリアのU-TOC差分情報も一緒にメモリ１７に取り込めば、ＭＤを一旦取り出し後、再挿入された場合であってもUNDO処理可能な部分が分かり、より良い編集機能を使用者に提供することができる。
【００３６】
ただし、上述の方法（第１実施形態）では既出のＭＤレコーダ等との互換性がとれない。勿論、上述の方法を採用したＭＤレコーダで記録、編集されたＭＤであることを識別するフラグ等をセクタ０等に新規に設ければ互換性はとりやすくなるが、ここでは以下に、別の方法である第２実施形態を示す。以下の方法は、既出の記録再生装置等との互換性を保ちつつ、本発明に対応したＭＤレコーダ等の記録再生装置で編集したＭＤに対して、この記録再生装置のメモリにあるU-TOC差分情報の範囲でのUNDO処理を可能にするものである。
【００３７】
図１に示すＭＤレコーダにおいて、ＭＤ１０に記録されたディジタル情報の編集処理を行うとき、上述したように、メモリ１７にてU-TOC情報、U-TOC差分情報を管理する。ここで、メモリ１７は記憶保持型のメモリとする。そして、ＭＤ１０を取り出すとき、ＭＤ１０内のディスク２５のU-TOCエリア２２をU-TOC情報で更新するが、このときU-TOC差分情報は書き込まない。そして、メモリ１７内にはU-TOC差分情報を記憶させておくとともに、Disc Serial No、DISC-ID、First TNO、Last TNO、P-EMPTY、P-FRA、P-TNO等、さらに変更部といった一部のStart address、End addressもメモリ１７に記憶させておく。そして、再びＭＤ１０が挿入されると、挿入されたＭＤ１０のディスク２５のU-TOCエリア２２のセクタ０に記録されたMaker code、Model codeを参照する。これらはU-TOCエリア２２の最終編集をした装置の製造元および型式を示すものであり、これらを参照することで前記ＭＤレコーダで編集されたＭＤかどうかを判別することができる。
【００３８】
そして、前記ＭＤレコーダで編集されたＭＤでなければ、そのＭＤのUNDO処理は不可とする。一方、前記ＭＤレコーダで編集されたＭＤであれば、U-TOCエリア２２のセクタ０のDisc Serial No、DISC-ID、First TNO、Last TNO、P-EMPTY、P-FRA、P-TNO等をメモリ１７内のそれらの情報と比較し、更に、メモリ１７に記憶させておいたStart address、End addressと比較する。これらが一致したとき、初めて、挿入されたＭＤ１０とメモリ１７に記憶されたU-TOC差分情報の対象ＭＤとが一致したものとみなし、UNDO処理可能と判断する。この方法により、既出のＭＤレコーダ等の他の記録再生装置との互換性を保ちつつ、本発明に対応した記録再生装置で編集したＭＤに対して、ＭＤを取り出した後であっても、その記録再生装置のメモリにあるU-TOC差分情報の範囲でのUNDO処理が可能になる。
【００３９】
また、上述の第２実施形態を以下のように応用することも可能である。図１に示すＭＤレコーダのように、外部ＩＦ１９を備え、且つ、パソコンのような大容量記憶装置と接続可能な機器であれば、メモリ１７を必要最小限のものとし、その他大部分若しくは全てのU-TOC情報とU-TOC差分情報を、接続されている大容量記憶装置に保存することができる。これにより、メモリ１７の容量を増やすこと無く、多くの記録媒体に対するU-TOC差分情報を持つことができる。
【００４０】
この内容を以下に、第３実施形態として説明する。図１に示すように、外部記憶装置２０とＭＤレコーダが外部ＩＦ１９を介して接続されたシステムにおいて、U-TOC差分情報は全て外部記憶装置２０に記憶させるようにする。そして、ＭＤレコーダにＭＤ１０が挿入されると、そのＭＤ１０に記録されたU-TOC情報を取り出し、外部記憶装置２０に記憶させる。このとき、メモリ１７にも、そのU-TOC情報を記憶させてもよい。その後、外部記憶装置２０若しくはメモリ１７にあるU-TOC情報と外部記憶装置２０にあるU-TOC差分情報を元に、上述したようなＭＤの認証をし、UNDO処理が可能なＭＤであるかどうかを判断する。そして、挿入されたＭＤ１０と外部記憶装置２０若しくはメモリ１７に記憶されたU-TOC差分情報の対象ＭＤとが一致したものとみなすことができた場合は、外部記憶装置２０若しくはメモリ１７に記憶されたU-TOC差分情報の範囲でのUNDO処理を行うことが可能となる。このようにすると、外部記憶装置２０の記憶容量は大きいので、多くのＭＤに対するU-TOC差分情報を持つ事ができ、多くのＭＤに対して、ＭＤを取り出した後であってもUNDO処理を行うことが可能となる。
【００４１】
また、外部記憶装置２０が、パソコンのように、大きなディスプレイ（表示装置）を有している場合、一度消去されたプログラムであってUNDO処理によって復元可能なプログラムの一覧を、このディスプレイに表示すると便利である。このとき、プログラムタイトルとともに、プログラム再生時間、記録日時等のプログラム情報も表示させるようにする。これらはセクタ０のU-TOC差分情報に対応するセクタ1、セクタ2、セクタ4等も記憶しておくことで可能である。尚、このような、UNDO処理によって復元可能なプログラムの一覧表示は、ＭＤレコーダ本体がこのような一覧表示をすることが可能なディスプレイを有していれば、パソコンのような外部記憶装置２０が接続されていない場合であっても可能である。
【００４２】
また、ＭＤ等の記録媒体が長期間保存されていた場合、その記録媒体に記録されている一度消去されたUNDO処理可能なプログラム情報が一覧表示されても、使用者はそのプログラム内容を十分に理解できないために、復元するかどうかの判断ができないということも考えられる。そのような場合に、UNDO処理にてプログラムを復元させずにプログラム再生させる手段が用意されていると便利である。以下に、UNDO処理にてプログラムを復元させずにプログラム再生させる方法を説明する。
【００４３】
先ず、U-TOC差分情報内の再生対象スロットの先頭位置をしめすP-TNOを参照する。次に、U-TOC情報内の前記P-TNOに対応するStart address、End address、Link-P、Track modeを参照し、これらの情報に従ってプログラムを再生させる。このようにすることで、消去されたプログラムの内容を確認するために、UNDO処理によってそのプログラムを復元せずとも、そのプログラムを再生させて確認することができる。従って、使用者が本当は復元を希望しないプログラムを、確認のためだけに復元するという無駄な処理を行う必要がなくなる。尚、このように、消去されたプログラムを復元せずに再生する方法は、外部記憶装置２０が接続されていなくても可能である。
【００４４】
また、一度消去されたプログラムであって上書き記録されたものはUNDO処理によるプログラム復元は不可能となるが、今後、ディスク容量は大きくなる傾向にあり、ディスクを常に一杯の容量で使わないケースも増えてくると考えられるので、先ず、空き領域から、次に、空き領域がない場合は、復元可能であって消去されたプログラムのある主情報領域のうち消去日時の古いプログラムのある領域を優先させて上書き記録させると、本発明はさらに有効性が増す。
【００４５】
この内容を以下に、第４実施形態として説明する。先ず、プログラム消去時には、U-TOC情報のセクタ２に記録される記録日時を、消去した日時に更新しておく。そして、プログラム記録時には、先ず、空き領域を探し出す。空き領域は、記録可能領域から復元可能であって消去されたプログラムが記録された領域以外のところを探し出すことで算出する。そして、空き領域があれば、その空き領域にプログラムを記録する。一方、空き領域がない場合、復元可能であって消去されたプログラムが記録された領域に対応するセクタ２の記録日時を参照する。このセクタ２の記録日時にはプログラムが消去された日時が記録されている。そして、各プログラムの記録日時を比較し、記録日時の古いプログラムのある領域を優先させて上書き記録する。
【００４６】
ただし、この方式にて記録、消去を続けると、プログラムの記録領域が複数のスロットに分断される傾向となる。そこで、使用者にこの方式の使用の可否を選択させるようにするとよい。また、タイマーを搭載していない記録再生装置では、上述したプログラム消去の日時を記録することができないので、消去された順番を別領域に記憶しておき、この順番に基づいて古いプログラムのある領域を優先させて上書き記録することも可能である。
【００４７】
また、図１に示すＭＤレコーダのように、外部ＩＦ１９を備え、且つ、パソコンのような大容量記憶装置と接続可能な記録再生装置であれば、以下のような応用が可能となる。ＭＤレコーダのような記録再生装置と外部記憶装置とを接続すれば、その間でプログラムを転送することができる。このとき、転送先に消去されたプログラムであって復元可能な同じプログラムがあれば、プログラムを転送せずにU-TOC情報の変更のみで転送を終了することが出来る。ディジタル映像情報のような大きなサイズのプログラムでは、このような方式の利点は大きくなる。
【００４８】
この内容を以下に、第５実施形態として説明する。図１に示すＭＤレコーダが外部ＩＦ１９を経由して、外部記憶装置２０であるパソコンと接続されている。ＭＤの場合、複製が禁止されているため、ＭＤレコーダとパソコン間はプログラムの移動のみとなる。先ず、ＭＤレコーダとパソコンをＵＳＢにて接続した場合、パソコン側のアプリケーションにてＭＤレコーダの認証を行い、その後、初めてパソコンとＭＤレコーダとの間でプログラム転送が可能になる。ＭＤレコーダに挿入されたＭＤ１０のU-TOC情報をメモリ１７若しくはパソコン側に記憶させる。あるプログラムをパソコンからＭＤレコーダに転送させる時、まずＭＤレコーダ側に、消去されたプログラムであってUNDO処理にて復元可能な同じプログラムがあるかを探す。これは、U-TOC情報のTrack Modeを参照比較することで候補を選び出し、プログラムの一部を比較することで同一プログラムであるかを確認する。復元可能な同じプログラムがあれば、U-TOC情報を更新してそのプログラムを復元する。同時にパソコンのアプリケーション側で、パソコン内の同じプログラムが転送されたように処理する。また、使用者がこの方式の使用の可否を選択できるようにしてもよい。これは、ＭＤ内のプログラムをすべて消去し、新たに内周側からプログラムを記録させたいと使用者が考えた場合、使用者がこの方式を使用したくない場合も考えられるからである。
【００４９】
尚、以上の説明は、ＭＤレコーダを例に説明したが、本発明はＭＤレコーダに限らず、他の記録再生装置にも適用される。例えば、ＤＶＤ(ディジタル・ビデオ・ディスク)に代表される光ディスク、磁気テープ、光テープ、半導体メモリ等の記録媒体を用いた記録再生装置が挙げられる。また、図１の説明において、記録再生装置と外部記録装置を接続したシステムとして、ＭＤレコーダと外部記憶装置(ＰＣ等)を例に説明したが、他の例として、大容量記憶装置であるＨＤＤ（ハード・ディスク・ドライブ）を内蔵したＤＶＤレコーダ等を外部記憶装置にすることも可能である。
【００５０】
また、本発明は上述の実施形態に限定されるものではなく、本発明の趣旨を逸脱しない範囲において各部の構成等を適宜に変更して実施することも可能である。
【産業上の利用可能性】
【００５１】
本発明によると、主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、前記編集を行ったときの変更前の識別情報と変更後の識別情報との差分である差分情報を前記記録媒体に記録する編集情報記録手段と、前記記録媒体に記録された前記差分情報に基づいて該記録媒体に記録された識別情報を前記変更前の識別情報に復元する編集情報復元手段とを設けたので、記録情報の編集を行った記録媒体が記録再生装置から取り出された後でも、前記記録媒体に記録された差分情報に基づいて、プログラム消去に代表される前記記録媒体の記録情報の編集内容の復元をすることができる。
【００５２】
また、本発明によると、主情報がプログラム単位で記録される主情報領域と、該主情報領域に記録された各プログラムのそれぞれに対応する識別情報が記録される識別情報領域とを有する記録媒体を記録再生するとともに、前記識別情報領域に記録された識別情報の変更によって前記主情報領域に記録されたプログラムの編集を行うことが可能な記録再生装置において、前記編集を行ったときの変更前の識別情報と変更後の識別情報との差分である差分情報及び前記変更後の識別情報をメモリに記録する編集情報記録手段と、記録媒体に記録されている識別情報と前記メモリに記録された前記変更後の識別情報とが一致した場合に、前記メモリに記録された差分情報に基づいて前記記録媒体に記録されている識別情報を前記変更前の識別情報に復元する編集情報復元手段とを設けたので、編集に関する情報を記録媒体に記録することなく、即ち、他の記録再生装置との互換性を保ちつつ、記録される情報記録情報の編集を行った記録媒体が記録再生装置から取り出された後でも、前記メモリに記録された識別情報に基づいて記録媒体を特定し、差分情報に基づいてプログラム消去に代表される前記記録媒体の記録情報の編集内容の復元をすることができる。
【図面の簡単な説明】
【００５３】
【図１】は、本発明の実施形態のＭＤレコーダの電気的構成を示すブロック図である。
【図２】は、記録可能なＭＤのディスク断面を模式的に示す要部断面図である。
【図３】は、ＭＤのU-TOCエリアのセクタ０のデータ構造を説明するための概略図である。
【図４】は、ＭＤのU-TOCエリアのセクタ１のデータ構造を説明するための概略図である。
【図５】は、ＭＤのU-TOCエリアのセクタ２のデータ構造を説明するための概略図である。
【図６】は、ＭＤのU-TOCエリアのセクタ４のデータ構造を説明するための概略図である。
【符号の説明】
【００５４】
１    ATRAC圧縮回路
２    信号処理回路
３    ショックプルーフメモリ
４    ヘッドドライバ
５    磁気ヘッド
６    ＭＤ制御回路（編集情報記録手段、編集情報復元手段）
７    サーボ回路
８    スピンドルモータ
９    送りモータ
１０    ミニディスク（ＭＤ、記録媒体）
１１    ピックアップ
１２    ＲＦアンプ
１３    ATRAC伸長回路
１４    D/Aコンバータ
１５    音声調整及びアンプ部
１６    スピーカ
１７    メモリ
１８    液晶モニタ（表示装置）
１９    外部インターフェイス（外部ＩＦ、交信手段）
２０    外部記憶装置
２１    リードインエリア
２２    U-TOCエリア（識別情報領域）
２３    プログラムエリア（主情報領域）
２４    リードアウトエリア
２５    ディスク
２６    カートリッジ
【図１】
2005092955.tif 000003
【図２】
2005092955.tif 000004
【図３】
2005092955.tif 000005
【図４】
2005092955.tif 000006
【図５】
2005092955.tif 000007
【図６】
2005092955.tif 000008